(57)【特許請求の範囲】
【請求項１】
全稈投入型の扱室と選別室を備えた脱穀装置（２）を、茎稈投入口（１６）を前側に位置させ排塵口（１７）を後側に位置させて車台（１）上に搭載し、該脱穀装置（２）の排塵口（１７）には上側から排塵カバー（９）を連結して排塵口（１７）からの排塵物を排塵カバー（９）で地面側に案内する構成とし、該脱穀装置（２）の前側の茎稈投入口（１６）に刈取前処理装置（５）側の搬送コンベヤ装置（１８）の搬送終端部を上下回動自由に枢着して連結し、該刈取前処理装置（５）を、左右一対の分草杆（２０，２０）と、該分草杆（２０，２０）の後部に設けた左右一対のラグベルト（２１，２１）からなる茎稈搬送装置（３）と、該茎稈搬送装置（３）の下方に縦軸で軸装した回転刈刃（４）とを１条分として一体に枠組みし、これを横方向に４条分配列した構成とし、前記茎稈搬送装置（３）の左右一対のラグベルト（２１，２１）を上下２段に設けて茎稈の抜け落ちがないように保持し、回転刈刃（４）で株元を刈り取られた茎稈を該左右一対のラグベルト（２１，２１）で保持して後部上方の掻込みオーガー（２４）まで搬送する構成とし、前記４条分の４つの回転刈刃（４）に伝動チェン（２５）を介して伝動可能に夫々接続した４個の油圧モータ（６）のうち、左側の２つの油圧モータを直列に接続して左側直列回路（７ａ）を構成し、右側の２つの油圧モータを直列に接続して右側直列回路（７ｂ）を構成し、該左側直列回路（７ａ）と右側直列回路（７ｂ）との分岐部に、左側直列回路（７ａ）と右側直列回路（７ｂ）とに油量を等量で分配しながら供給できる分流弁（３６）を設け、前記４個の油圧モータ（６）が左側直列回路（７ａ）と右側直列回路（７ｂ）とに圧送されて循環する等量の作動油によって駆動される構成とし、該油圧モータ（６）を駆動するための油圧回路にオイルタンク（８）とオイルフィルター（３７）を接続し、前記オイルタンク（８）を脱穀装置（２）の後部上側に設けたタンク支持台（４０）上に載置して設けると共に該オイルタンク（８）の近くにオイルフィルター（３７）を設け、該オイルタンク（８）とオイルフィルター（３７）とが、排塵カバー（９）の上側で且つ脱穀装置（２）の入力プーリ（１０）に一体に設けたファン（１１）による風の風下側に配置される構成とし、脱穀装置（２）の側部と上側位置とにオイルタンク（８）側に風を案内する第１風案内板（４１）と第２風案内板（４２）とを設け、該脱穀装置（２）の側部に設けた第１風案内板（４１）は車体の走行に伴って流れてくる風をオイルタンク（８）側に案内して吹き付け、脱穀装置（２）の上側位置に設けた第２風案内板（４２）は車体の走行に伴って脱穀装置（２）の上面に沿って後方へ流れる風をオイルタンク（８）とオイルフィルター（３７）とに向けて案内する構成とし、前記左側直列回路（７ａ）及び右側直列回路（７ｂ）の各直列に接続した２つの油圧モータの間に設けた循環回路（５７）に圧抜き回路（５５）を接続し、該圧抜き回路（５５）に圧抜きバルブ（５６）を設け、油圧ポンプ（３５）を始動して作動油を駆動回路（５８）から最初の油圧モータへ圧送し、更に循環回路（５７）を経て次の油圧モータへ圧送が開始されると駆動回路（５８）のパイロット圧によって圧抜きバルブ（５６）が閉じ、油圧ポンプ（３５）を停止して駆動回路（５８）への作動油の圧送がなくなると、ばねの張力によって圧抜きバルブ（５６）が自動的に開き、圧抜き回路（５５）がオイルタンク（８）に連通状態となって２つの油圧モータ間の循環回路（５７）の作動油がタンク（８）側に循環する構成としたことを特徴とするコンバイン。
【発明の詳細な説明】
【技術分野】
【０００１】
この発明は、コンバインに関する。
【背景技術】
【０００２】
従来からこの種の汎用コンバインは、比較的低い丈の茎稈を、左右両側からラグベルトで挟持して後方に搬送しながら途中で株元を刈取り、そのまま後方の掻込みオーガーまで搬送するロークロップヘッダの構成で、茎稈は、更に、前記掻込みオーガーから搬送コンベヤ装置を経由して全稈投入型の脱穀装置に供給される構成としている。そして、このような汎用型のコンバインは、刈取装置として円板刈刃を使用し、刈取条ごとに軸架した前記円板刈刃を、それぞれ油圧モータで駆動する構成となっている。
【０００３】
例えば、特開平１１−７５４９５号の公開特許公報（特許文献１参照）に、上記技術が記載され公開されている。すなわち、該公開特許公報に記載されている技術構成は、油圧モータで刈刃を回転させて茎稈を刈り取る刈取装置と、搬送始端部で圃場の茎稈を案内し、刈取後の茎稈を搬送して後方のオーガに供給する搬送装置とを備えた刈取部を横方向に複数並設して刈取前処理部を構成し、油圧モータに対する油路を開閉する切換弁を備えた油圧モータ用の油圧回路を、機体側の刈取前処理部を昇降する油圧シリンダや他のアクチュエータを操作する油圧回路の戻り油路に接続して、機体側の油圧回路から作動油で油圧モータを駆動するよう構成してある。
【特許文献１】特開平１１−７５４９５号公報
【発明の開示】
【発明が解決しようとする課題】
【０００４】
上述した従来公知のコンバインの油圧装置は、オイルタンクが車台の前部、乃至は中央部に搭載されて構成されているから、コンバイン車台の重心位置が前寄りになり、前バランスの傾向があった。したがって、従来のコンバインは、前バランスの場合、走行に伴って車台の前後方向への揺れが大きくなり、不安定となって刈刃が上下して高刈や低刈りを繰り返して刈跡が一定せず、ヘッドロスが増加する課題があった。
【０００５】
また、油圧モータ用の油圧回路に設けたオイルタンクとオイルフィルターは、従来から油温の上昇が常に課題となっていた。
また、従来のコンバインの油圧回路は、回転刈刃駆動用の油圧モータに作動油を供給する循環回路に圧抜き機構が無いために、刈取作業中に回転刈刃が外部抵抗を受けて停止したとき、油圧ポンプを停止しても油圧モータの間にある循環回路中の作動油（油圧）が抜けず、圧力がこもる状態にあり、回転刈刃の逆転が不能の状態で外部抵抗から回避できない危険性の高い構成であった。
【課題を解決するための手段】
【０００６】
この発明は、上記課題を解決するために、全稈投入型の扱室と選別室を備えた脱穀装置（２）を、茎稈投入口（１６）を前側に位置させ排塵口（１７）を後側に位置させて車台（１）上に搭載し、該脱穀装置（２）の排塵口（１７）には上側から排塵カバー（９）を連結して排塵口（１７）からの排塵物を排塵カバー（９）で地面側に案内する構成とし、該脱穀装置（２）の前側の茎稈投入口（１６）に刈取前処理装置（５）側の搬送コンベヤ装置（１８）の搬送終端部を上下回動自由に枢着して連結し、該刈取前処理装置（５）を、左右一対の分草杆（２０，２０）と、該分草杆（２０，２０）の後部に設けた左右一対のラグベルト（２１，２１）からなる茎稈搬送装置（３）と、該茎稈搬送装置（３）の下方に縦軸で軸装した回転刈刃（４）とを１条分として一体に枠組みし、これを横方向に４条分配列した構成とし、前記茎稈搬送装置（３）の左右一対のラグベルト（２１，２１）を上下２段に設けて茎稈の抜け落ちがないように保持し、回転刈刃（４）で株元を刈り取られた茎稈を該左右一対のラグベルト（２１，２１）で保持して後部上方の掻込みオーガー（２４）まで搬送する構成とし、前記４条分の４つの回転刈刃（４）に伝動チェン（２５）を介して伝動可能に夫々接続した４個の油圧モータ（６）のうち、左側の２つの油圧モータを直列に接続して左側直列回路（７ａ）を構成し、右側の２つの油圧モータを直列に接続して右側直列回路（７ｂ）を構成し、該左側直列回路（７ａ）と右側直列回路（７ｂ）との分岐部に、左側直列回路（７ａ）と右側直列回路（７ｂ）とに油量を等量で分配しながら供給できる分流弁（３６）を設け、前記４個の油圧モータ（６）が左側直列回路（７ａ）と右側直列回路（７ｂ）とに圧送されて循環する等量の作動油によって駆動される構成とし、該油圧モータ（６）を駆動するための油圧回路にオイルタンク（８）とオイルフィルター（３７）を接続し、前記オイルタンク（８）を脱穀装置（２）の後部上側に設けたタンク支持台（４０）上に載置して設けると共に該オイルタンク（８）の近くにオイルフィルター（３７）を設け、該オイルタンク（８）とオイルフィルター（３７）とが、排塵カバー（９）の上側で且つ脱穀装置（２）の入力プーリ（１０）に一体に設けたファン（１１）による風の風下側に配置される構成とし、脱穀装置（２）の側部と上側位置とにオイルタンク（８）側に風を案内する第１風案内板（４１）と第２風案内板（４２）とを設け、該脱穀装置（２）の側部に設けた第１風案内板（４１）は車体の走行に伴って流れてくる風をオイルタンク（８）側に案内して吹き付け、脱穀装置（２）の上側位置に設けた第２風案内板（４２）は車体の走行に伴って脱穀装置（２）の上面に沿って後方へ流れる風をオイルタンク（８）とオイルフィルター（３７）とに向けて案内する構成とし、前記左側直列回路（７ａ）及び右側直列回路（７ｂ）の各直列に接続した２つの油圧モータの間に設けた循環回路（５７）に圧抜き回路（５５）を接続し、該圧抜き回路（５５）に圧抜きバルブ（５６）を設け、油圧ポンプ（３５）を始動して作動油を駆動回路（５８）から最初の油圧モータへ圧送し、更に循環回路（５７）を経て次の油圧モータへ圧送が開始されると駆動回路（５８）のパイロット圧によって圧抜きバルブ（５６）が閉じ、油圧ポンプ（３５）を停止して駆動回路（５８）への作動油の圧送がなくなると、ばねの張力によって圧抜きバルブ（５６）が自動的に開き、圧抜き回路（５５）がオイルタンク（８）に連通状態となって２つの油圧モータ間の循環回路（５７）の作動油がタンク（８）側に循環する構成としたことを特徴とするコンバインとした。
【発明の効果】
【０００７】
この発明によると、オイルタンク（８）を後部上側のタンク支持台（４０）上に載置したから、車体の重心位置が後方に移動して安定したバランスが確保でき、作業時にも前後方向の揺れが少なくなり、刈高さを略一定に保ちながら刈跡も整然とした走行ができるものとなった。したがって、ヘッドロスも大幅に減少し高精度の下に収穫作業ができる。
【０００８】
また、比較的高い位置にオイルタンク（８）があるから、塵埃の降り掛かりもなくなり、埃が溜まらない。
そして、オイルタンク（８）を、排塵カバー（９）の上側に配置することによって、オイルの補充や交換等のメンテナンスに際して、オイルが外部に漏れて排塵カバー（９）の上面に流下しても、該排塵カバー（９）の傾斜によって地面に流れ落ちて車台（１）上に溜まることがない。
【０００９】
また、オイルタンク（８）とオイルフィルター（３７）は、脱穀装置（２）の入力プーリ（１０）に一体に設けたファン（１１）の風下側に配置することにより、作業中に風を吹き付けて冷却され、油温上昇を防止すると共に、オイルタンク（８）の周囲に塵埃が溜まらない。そして、脱穀作業中のみファン（１１）が回転して起風し、冷却するが、脱穀装置（２）を停止した作業中断中にはファン（１１）の回転も止まり、無駄な動力の損失がない。
【００１０】
また、オイルタンク（８）とオイルフィルター（３７）は、コンバインが前進するのにともなって後方へ流れるように発生する風が、第１風案内板（４１）及び第２風案内板（４２）によって案内されて吹き付けられ、冷却作用と防塵作用が行われて油温の上昇が止められると共に、埃が後方に吹き飛ばされて溜まることがない。
【００１１】
また、２つの油圧モータ間の循環回路（５７）に圧抜きバルブ（５６）を有する圧抜き回路（５５）を接続したから、駆動中に油圧ポンプ（３５）を停止すると、自動的に圧抜きバルブ（５６）が作動して開き循環回路（５７）の作動油が圧抜回路（５５）から圧抜きバルブ（５６）を経由してオイルタンク（８）に循環して回路中の油圧がなくなる。したがって、回転刈刃（４）は、伝動チェン（２５）を介して油圧モータ（６）に連結しているが、フリーの状態で回転が自由になり、抵抗のない状態に障害物を取り除くことができる。
【発明を実施するための最良の形態】
【００１２】
まず、この発明の実施例は、車台１上に搭載した脱穀装置２と、その前方に、茎稈搬送装置３と回転刈刃４とからなる刈取前処理装置５を複数条配列して設けたコンバインであって、該刈取前処理装置５の回転刈刃４を伝動する油圧モータ６に接続した一連の油圧装置７を構成するオイルタンク８を、脱穀装置２の後方位置において、上部に装置して構成したものである。
【００１３】
この種のコンバインは、従来から油圧装置７のオイルタンク８をキャビンやグレンタンクの下側に搭載する構成が多く、車体の重量バランスが前寄りに偏る傾向が大きいことが知られている。そのため、従来型コンバインは、作業中に車体の前後揺動が激しくなり、それに伴って刈刃も上下移動して高刈りや低刈りを繰り返して刈跡が乱れる課題と、併せて、ヘッドロスの発生があった。
【００１４】
この発明は、前述のようにオイルタンク８を脱穀装置２の後部で上側に搭載することによって、コンバイン車体の重量バランスを改善して従来型の課題を解消するものである。
以下、この発明の実施例について、図面に基づき具体的に説明する。
【００１５】
まず、脱穀装置２は、図１、及び図２に示すように、全稈投入型の扱室と選別室とを備え、クローラ１５を有する車台１上に、茎稈供給口１６を前側に位置し、排塵口１７を後側に位置して進行方向に沿わせて搭載している。そして、脱穀装置２は、図面に示すように、前側の茎稈供給口１６にはフィーダハウス１８（実施例の説明では「搬送コンベヤ装置１８」と云う）の搬送終端部を上下回動自由に枢着して連結し、後側の排塵口１７には上側から排塵カバー９を連結して排塵物を圃場の地面側に案内する構成としている。
【００１６】
つぎに、刈取前処理装置５は、図１、及び図２に示すように、前部から左右一対の分草杆２０、２０と、その後部に左右一対のラグベルト２１、２１からなる茎稈搬送装置３と、該茎稈搬送装置３の下方に縦軸に軸装した回転刈刃４とを１条として一体に枠組みし、実施例の場合、これを横方向に４条配列して設けた構成としている。
【００１７】
そして、ラグベルト２１，２１は、図２、及び図３に示すように、搬送始端部の遊動プーリ２２を低く、終端部の駆動プーリ２３を高くして側面視で傾斜させて設け、圃場の茎稈を左右両側からラグで係合して搬送しながら途中位置で株元が前記回転刈刃４で刈り取られると、そのまま係合保持して後部上方の掻込みオーガー２４まで搬送する構成としている。この場合、ラグベルト２１、２１は、図面から解るように、上下２段に設けて茎稈の抜け落ちがないように上下で保持する構成としている。
【００１８】
そして、回転刈刃４は、図面に示すように、油圧モータ６から伝動チェン２５によって伝動される構成としている。    
つぎに、掻込みオーガー２４は、図１に示すように、前記４条の刈取条数に対応させた横幅に形成し、外表面に左右両端から内側に搬送する収集螺旋２６と、前記搬送コンベヤ装置１８の始端部入口に対応させて掻込みクランクフィンガー２７とを設け、刈取茎稈を収集して前記搬送コンベヤ装置１８の搬送始端部に供給できる構成としている。
【００１９】
なお、刈取前処理装置５は、図３、及び図４に示す実施例の場合、掻込みオーガー２４を軸架した側枠に枕扱ぎレバー２８を設け、このレバー２８を入り側（図面上、前側が枕扱ぎ位置）に操作すると、前部の分草杆２０が接地したままで後側の掻込みオーガー２４、搬送コンベヤ装置１８が脱穀装置２側を回動支点に上昇して、前記駆動プーリ２３を伝動する伝動軸２９を支点にして折り曲がって、図４に示すように、掻込みオーガー２４のすぐ前側に投入空間３０が広く開口する構成としている。
【００２０】
したがって、作業者は、コンバイン作業に先立って圃場の枕地から刈取った茎稈を、その投入空間３０から投入すると、駆動している掻込みオーガー２４から搬送コンベヤ装置１８に受け継がれて、脱穀装置２まで搬送されて供給され、枕扱作業を行うことができる。
【００２１】
そして、実施例の刈取前処理装置５は、図５に示すように、搭載している図外のコンプレッサーに連結したホース３１の先端部にエアーノズル３２を接続して、茎稈搬送装置３の下部に臨ませて設けており、搬送途中の茎稈株元に吹き付けて付着している土や泥を吹き飛ばして取り除き、大豆等の場合の汚粒の発生を未然に防止する構成としている。
【００２２】
なお、エアーノズル３２は、図６に示すように、プラットホームの上側に装置して掻込みオーガー２４の下方に吹き付けて後方に土等を吹き飛ばす構成にしてもよく、この実施例でも汚粒が防止できる。更には、エアーノズル３２は、これを油圧モータ６に冷却風として吹き付けるように向けて構成すると、冷却作用が働いてモータの温度を下げて効率を高めることが出来る利点がある。３３は目抜き板を示している。
【００２３】
つぎに、油圧モータ６を駆動するための油圧装置（油圧回路）７について説明する。
まず、油圧装置７は、図７に示すように、４条の各回転刈刃４にそれぞれ伝動可能に接続した４個の油圧モータ６を、左側の２つ（左の２条）を直列に接続し、右側の２つ（右の２条）も直列に接続して左右両側にそれぞれ直列回路７ａ、７ｂ（左側直列回路７ａ，右側直列回路７ｂ）を構成する。そして、上記左右２つの直列回路７ａ、７ｂは、図７に示すように、油圧ポンプ３５に近い分岐部位に、左右に１対１の比率で等量に分配しながら油量を供給できるように分流弁３６を設け、並列回路に接続して構成している。そして、上記４個の油圧モータ６は、左右２つの直列回路７ａ、７ｂに圧送されて循環する等量の作動油によって駆動される構成としている。
【００２４】
そして、上記油圧装置７（油圧回路）は、図７に示すように、回路中にオイルタンク８とオイルフィルタ―３７を接続して一連の油圧回路７を構成している。なお、循環回路や駆動回路の圧抜き機構については後述する。
【００２５】
以上のように構成された油圧装置７において、オイルタンク８は、図１、及び図２に示すように、脱穀装置２の後部上側に設けたタンク支持台４０上に載置して設けた構成としている。そして、この実施例では、オイルタンク８は、図１に示すように、オイルフィルター３７を近くに連結して設けており、更に、これらが、図２に示すように、排塵カバー９の上側に位置する構成となっている。
【００２６】
したがって、コンバインは、上記のとおりオイルタンク８を後部上側のタンク支持台４０上に載置したから、車体の重心位置が後方に移動して安定したバランスが確保でき、作業時にも前後方向の揺れが少なくなり、刈り高さを略一定に保ちながら刈跡も整然とした走行ができるものとなった。したがって、コンバインは、ヘッドロスも大幅に減少し高精度の下に収穫作業ができる。
【００２７】
それに加えて、実施例は、比較的高い位置にタンク８があるから、塵埃の降りかかりもなくなり、埃が溜まらない利点がある。そして、オイルタンク８は、排塵カバー９の上側に装置することによって、オイルの補充や交換等のメンテナンスに際して、オイルが外部に漏れて排塵カバー９の上面に流下すると、カバーの傾斜によって地面に流れ落ちて車台上に溜まることがない特徴がある。
【００２８】
つぎに、オイルタンク８とオイルフィルター３７は、図８に示すように、脱穀装置２の入力プーリ１０に一体にファン１１を取り付け、そのファン１１の風下側に位置する構成としている。
【００２９】
このように構成すると、オイルタンク８とオイルフィルター３７は、従来から油温の上昇が常に課題となっていたが、この実施例の場合、ファン１１の風下側にあって、作業中に風を吹き付けて冷却され、油温上昇を防止すると共に、タンクの周囲に塵埃が溜まらない特徴がある。そして、この実施例は、脱穀作業中のみファン１１が回転して起風し、冷却するが、脱穀装置２を停止した作業中断中にはファン１１の回転も止まり、無駄な動力の損失がない特徴もある。
【００３０】
つぎに、オイルタンク８とオイルフィルター３７は、図９、及び図１０に示すように、脱穀装置２の側部（オイルタンク８の高さに相当する位置）と上側位置とにオイルタンク８側に風を案内する風案内板４１、４２（第１風案内板４１、第２風案内板４２）を設けて構成している。
【００３１】
そして、該風案内板４１は、走行に伴って流れてくる風をオイルタンク８側に案内して吹き付けるように構成し、他方、上側の風案内板４２は、走行に伴って脱穀装置２の上面にそって後方に流れてくる風を、オイルタンク８とオイルフィルター３７とに向けて案内する形状に構成している。
【００３２】
以上のように構成すると、オイルタンク８とオイルフィルター３７とそれに接続ホース４５は、コンバインが前進するのにともなって後方へ流れるように発生する風が、風案内板４１，４２によって案内されて吹き付けられ、冷却作用と防塵作用が行われて油温の上昇が止められると共に、埃が後方に吹き飛ばされて溜まることのない優れた特徴がある。
【００３３】
つぎに、オイルタンク８、及びオイルフィルター３７は、図１１、及び図１２に示すように、一方の端を脱穀装置２の茎稈供給口１６の上方位置にし、他方の端を、脱穀装置２の後部より更に後方位置まで延長させた脱穀装置２の扱胴カバー４３で上方と側方とを覆った構成としている。
【００３４】
従来のオイルタンク８は、扱胴カバー４３とは別のタンクカバーによって覆った構成としていたが、実施例の場合、上述のとおり、扱胴カバー４３を後方まで延長して覆った構成であって、扱胴カバー４３をオープンすれば、オイルタンクも同時に開放されてオイルの補充等のメンテナンスが扱室のメンテナンスと共に出来る特徴がある。しかも、一体の扱胴カバー４３は、外観のデザインも優美となり、コスト的にも安価に製作できる優れた特徴がある。
【００３５】
つぎに、オイルタンク８と油圧モータ６とを連通して、両者間にオイルを循環する接続ホース４５の配策について説明する。
まず、接続ホース４５は、図１３、及び図１４に示すように、脱穀装置２の後部に搭載したオイルタンク８と刈取前処理装置５に装置している油圧モータ６との間に連通して設け、途中に油圧ポンプ３５、オイルフィルター３７、コントロールバルブ４６等を介装して一連の循環回路に構成している。そして、上記接続ホース４５は、図面に示すように、コンバイン機体（脱穀装置２）の中央部分のエンジンや排気管が配置されていて熱が集まる部位を避けて、車台の左外側を通して設け、外気（風）がホース表面に直接当たる構成としている。
【００３６】
このように構成すると、実施例は、車体の外側から種々の作業ができるから、製造工程の組立作業や事後のメンテナンスが楽にできる優れた特徴があり、更に、作業中には外気を受けて油温の上昇を防止できる利点もある。
【００３７】
そして、この場合、コントロールバルブ４６は、図１３、及び図１４に示すように、搬送コンベヤ装置１８の前部枠４７の左端に取り付けて構成しているから、その位置には外側に障害物（装置）がなく、作業者が近づき易く、メンテナンスが容易にできると共に、前記接続ホース４５との取り付け作業も楽になる特徴がある。
【００３８】
そして、コントロールバルブ４６は、図面は省略したが、上記搬送コンベヤ装置１８の前部枠４７より前方の掻込みオーガー２４の機枠側に取り付けると、刈取前処理装置５を、車台１から分離するとき（搬送コンベヤ装置１８の前部枠４７から前を分離する）、接続しているホースの取外し作業が楽に出来る特徴がある。特に、実施例の場合、コントロールバルブ４６は、前側（油圧モータ６側）より後側（オイルタンク８側）の方が接続ホース４５の接続本数が少なく、着脱作業が楽にできる。
【００３９】
そして、接続ホース４５は、図１５、及び図１６に示す実施例の場合、脱穀装置２の側部を前後方向に配置した直線部分を金属製のパイプ４８を使用して構成している。このように、接続ホース４５は、直線部に金属製のパイプ４８を使用すると、樹脂やゴム製のホースに比較して、外傷を受け難く長持ちできる利点があると共に、金属の性質上熱伝導が速く内部を流動するオイルの冷却も効果的になる特徴がある。そして、金属製のパイプ４８は、組み立ても楽でコスト的にも安くなる等の特徴がある。
【００４０】
つぎに、接続ホース４５は、図１７に示すように、脱穀装置２の左側を通して設けるときに、圧風唐箕５０の吸気口５０ａと第二唐箕５１の吸気口５１ａとの外側を通して配策した構成としている。このように構成すると、接続ホース４５は、２つの唐箕５０，５１の吸気口５０ａ、５１ａにおいて、外部から吸引されている冷風を直に受けて冷やされ、油温の上昇を未然に防止できる特徴がある。
【００４１】
つぎに、油圧回路７の圧抜き機構を説明する。
まず、実施例の圧抜き回路５５は、図１８に示すように、直列に接続した２つの油圧モータ６、６（図７参照）に連通している循環回路５７（図７に示す直列回路７ａ、７ｂに相当する）に接続して設け、この圧抜き回路５５に圧抜きバルブ５６を設けて構成している。そして、上記圧抜きバルブ５６は、油圧ポンプ３５を始動して作動油を駆動回路５８から油圧モータ６へ、更に循環回路５７を経てつぎの油圧モータ６側へ圧送を開始すると、駆動回路５８のパイロット圧によって閉じる構成となっている。
【００４２】
したがって、２つの油圧モータ６、６は、圧抜き回路５５が閉じられた状態で作動油が駆動回路５８から最初の油圧モータ６を駆動し、続いて、循環回路５７から二番目の油圧モータ６へ循環されて駆動され、２条の回転刈刃４を伝動する。このように、油圧モータ６、６は、駆動されながら回転刈刃４を伝動して刈取作業を行うことになる。そして、圧抜きバルブ５６は、刈取作業を中断するとき、或いは緊急停止するときに、油圧ポンプ３５を停止して駆動回路５８への作動油の圧送がなくなると、ばねの張力によって自動的に開き圧抜き回路５５がオイルタンク８に連通状態となって、２つの油圧モータ６、６の間の循環回路５７の作動油がタンク８側に循環して圧抜き作用が完了する。
【００４３】
従来の油圧回路７は、油圧モータ６、６に作動油を供給する循環回路５７に圧抜き機構が無いために、刈取作業中に回転刈刃４が外部抵抗を受けて停止したとき、油圧ポンプ３５を停止しても油圧モータ６、６の間にある循環回路５７中の作動油（油圧）が抜けず、圧力がこもる状態にあり、回転刈刃４の逆転が不能の状態で外部抵抗から回避できない危険性の高い構成であった。
【００４４】
これに対して、上述の実施例は、２つの油圧モータ６、６間の循環回路５７に圧抜きバルブ５６を有する圧抜き回路５５を接続したから、駆動中に油圧ポンプ３５を停止すると、自動的に圧抜きバルブ５６が作動して開き循環回路５７の作動油が圧抜回路５５から圧抜きバルブ５６を経由してオイルタンク８に循環して回路中の油圧がなくなるものである。したがって、回転刈刃４は、伝動チェン２５を介して油圧モータ６に連結しているが、フリーの状態で回転が自由になり、抵抗のない状態に障害物を取り除くことができる特徴がある。
【００４５】
つぎに、図１９に示す実施例は、図１８の油圧回路７において、油圧モータ６への駆動回路５８と作動油をタンク８側に循環するアンロード回路５９との間に切換バルブ６０を設けて駆動回路５８とアンロード回路５９との間に作動油の切換ができる構成としている。
【００４６】
この油圧回路７は、油圧ポンプ３５の駆動、又は停止にかかわらず、上記切換バルブ６０をアンロード回路５９側に切り替えると、駆動回路５８と循環回路５７との作動油がほとんど同時にタンク８側に連通状態になって循環でき圧抜きができる利点がある。
【００４７】
つぎに、図２０に示す実施例は、上記図１９の切換バルブ６０に代えて、パイロット圧により切換をするアンロードバルブ６１を使用した別の構成例であって、コストダウンを考慮したものである。
【００４８】
つぎに、図２１に示す実施例は、上記図２０の実施例において、油圧モータ６、６を連通する循環回路５７と、油圧ポンプ３５から油圧モータ６に連通させた駆動回路５８とにそれぞれ逆流防止弁６２を有する圧抜き回路５５を設けて圧抜きバルブ５６に連通した構成としている。６３は駆動回路５８に設けた逆流防止弁であって、アンロード圧以上で開口する弁構成としている。
【００４９】
したがって、図２１に示す実施例は、上記構成によって、アンロード圧により油圧モータ６が誤作動することがないように安全性を高めた特徴がある。
以上、この発明の各実施例を具体的に説明したが、まず、この明細書で請求項１に記載した実施例の場合、従来コンバインが、前バランスの傾向が強く、そのために種々の弊害が出ていたが、これを改善するために、オイルタンク８を車台１の後部位置に搭載して修正したものである。この実施例に係るコンバインは、作業中の前後の揺れが極端に少なくなり、刈高さを一定に保って揺れに伴うヘッドロスの解消を図ることが可能になったものである。
【００５０】
そして、この発明の実施例は、オイルタンク８を後部の高い位置に装置したことによって、塵埃等の降り掛かることも少なくなり、埃の溜まりも少なくなって清掃等の手間が大幅に省けて楽になった特徴もある。
【００５１】
つぎに、請求項２に記載した発明の実施例の場合、排塵物を車台１の後部下方の圃場面に排出するために後部傾斜を付けて構成した排塵カバー９の上側にオイルタンク８を搭載したから、オイル補給時等にタンク８から漏れたオイルの溜りがなくなり、従来からの課題を解消することができた。
【００５２】
すなわち、オイルタンク８は、オイルの補充等のメンテナンスにあたり、オイルが外に流れ出すことがあるが、そのような場合でも、上述したように傾斜した排塵カバー９の上面をつたわって地面に排油できるから、車台上にオイル溜りができる等の弊害を未然に解消できた。
【００５３】
つぎに、請求項３に記載した発明の実施例の場合、油圧装置７の作動中に油温の上昇が常に課題となり、これを解消するために従来から大容量のタンクを使用していたが、実施例では、脱穀装置２の入力プーリ１０にファン１１を設け、このファン１１の風下側にオイルタンク８を配置することによって、作業中に風を吹き付けて冷却し、油温上昇を防止すると共に、タンク８の周囲に塵埃が溜まらないようにしている。
【００５４】
更に、この実施例は、脱穀作業中のみファン１１が回転して起風し、冷却する構成であるから、脱穀装置２を停止した作業中断中の走行時等に無駄な動力の損失をしない構成としている。
【図面の簡単な説明】
【００５５】
【図１】コンバインの平面図
【図２】コンバインの側面図
【図３】刈取前処理装置の一部を断面した側面図
【図４】刈取前処理装置の一部を断面した側面図
【図５】刈取前処理装置の作用側面図
【図６】刈取前処理装置の作用側面図
【図７】刈取前処理装置に油圧回路を接続した説明用の平面図
【図８】要部の平面図
【図９】コンバインの一部を示す作用平面図
【図１０】コンバインの一部を示す作用側面図
【図１１】コンバインの平面図
【図１２】コンバインの側面図
【図１３】コンバインの平面図
【図１４】コンバインの側面図
【図１５】コンバインの平面図
【図１６】コンバインの側面図
【図１７】コンバインの側面図
【図１８】油圧回路図
【図１９】油圧回路図
【図２０】油圧回路図
【図２１】油圧回路図
【符号の説明】
【００５６】
１  車台
２  脱穀装置
３  茎稈搬送装置
４  回転刈刃
５  刈取前処理装置
６  油圧モータ
７  油圧装置
７ａ 直列回路（左側直列回路）
７ｂ 直列回路（右側直列回路）
８  オイルタンク
９  排塵カバー
１０  入力プーリ
１１  ファン
１６ 茎稈投入口
１７ 排塵口
２０ 分草杆
２１ ラグベルト
２４ 掻込みオーガー
２５ 伝動チェン
３５ 油圧ポンプ
３６ 分流弁
３７ オイルフィルター
４０ タンク支持台
４１ 風案内板（第１風案内板）
４２ 風案内板（第２風案内板）
５５ 圧抜き回路
５６ 圧抜きバルブ
５７ 循環回路
５８ 駆動回路
【図１】
0004400440.tif 000002
【図２】
0004400440.tif 000003
【図３】
0004400440.tif 000004
【図４】
0004400440.tif 000005
【図５】
0004400440.tif 000006
【図６】
0004400440.tif 000007
【図７】
0004400440.tif 000008
【図８】
0004400440.tif 000009
【図９】
0004400440.tif 000010
【図１０】
0004400440.tif 000011
【図１１】
0004400440.tif 000012
【図１２】
0004400440.tif 000013
【図１３】
0004400440.tif 000014
【図１４】
0004400440.tif 000015
【図１５】
0004400440.tif 000016
【図１６】
0004400440.tif 000017
【図１７】
0004400440.tif 000018
【図１８】
0004400440.tif 000019
【図１９】
0004400440.tif 000020
【図２０】
0004400440.tif 000021
【図２１】
0004400440.tif 000022